(57)【要約】【課題】メインの電源供給装置がオフであるときにもロード／イジェクトが可能なように常時電源供給装置を備えた情報処理装置において、電源供給系と制御系とを簡単に構成する。【解決手段】  スロットローディング機構１２にリムーバブルメディア１０が挿入されたことを検出可能なメディア検出装置１３を有する情報記録再生装置１１と、情報記録再生装置１１に電源を供給可能な電源供給装置１８と、電源供給装置１８を制御する電源制御装置１９と、常時電源供給装置２２によって常時電源が供給されるとともに、スロットローディング機構１２にリムーバブルメディア１０が挿入されたことを検出した信号をメディア検出装置１３から受け取ることによって、電源制御装置１９を介して電源供給装置１８から情報記録再生装置１１に電源を供給させる信号伝達装置２０とを具備する。【選択図】図１
2007157292.tif 000002
【特許請求の範囲】
【請求項１】
リムーバブルメディアを挿入および排出するスロットローディング機構と、このスロットローディング機構にリムーバブルメディアが挿入されたことを検出可能なメディア検出装置とを有する情報記録再生装置と、
前記情報記録再生装置を制御してリムーバブルメディアからのデータ読み込み、あるいはリムーバブルメディアへのデータ書き込みを行う情報機器制御装置と、
前記情報記録再生装置および情報機器制御装置に電源を供給可能な電源供給装置と、
前記電源供給装置を制御する電源制御装置と、
前記電源制御装置に常時電源を供給する常時電源供給装置と、
前記常時電源供給装置によって常時電源が供給されるとともに、前記スロットローディング機構にリムーバブルメディアが挿入されたことを検出した信号をメディア検出装置から受け取ることによって、前記電源制御装置を介して電源供給装置から情報記録再生装置および情報機器制御装置に電源を供給させる信号伝達装置と、
を具備することを特徴とする情報処理装置。
【請求項２】
情報記録再生装置は、
スロットローディング機構のための駆動回路と、
前記スロットローディング機構にリムーバブルメディアが挿入されたことを検出した信号をメディア検出装置から受け取ることによって、電源供給装置から情報記録再生装置に供給される電源を前記駆動回路に供給させる電源供給制御回路と、
を具備することを特徴とする請求項１記載の情報処理装置。
【請求項３】
メディア検出装置は、スロットローディング機構に対するリムーバブルメディアの挿入排出動作にしたがって開閉されるスイッチにて構成され、
信号伝達装置は、常時電源供給装置から前記スイッチに常時電源を供給するものであるとともに、前記スロットローディング機構に対するリムーバブルメディアの挿入排出動作にしたがってスイッチが開閉されることにともなって、電源制御装置への入力レベルを変化させるものである、
ことを特徴とする請求項１または２記載の情報処理装置。
【請求項４】
情報記録再生装置の電源供給制御回路は、スイッチに電気的に接続されるとともに、常時電源供給装置からスイッチに常時供給される電源からの電流が前記情報記録再生装置に流れ込むのを阻止するための電流流れ込み阻止装置を有することを特徴とする請求項３記載の情報処理装置。
【請求項５】
スイッチで発生するチャタリングにもとづくノイズを除去するためのローパスフィルタを具備することを特徴とする請求項３または４記載の情報処理装置。
【請求項６】
メディア検出装置からの、スロットローディング機構にリムーバブルメディアが挿入されたことの検出信号により、電源制御装置を、電源供給装置から情報記録再生装置および情報機器制御装置に電源を供給させるように動作させた状態とするとともに、この動作状態を、その後にスロットローディング機構からリムーバブルメディアが排出された後も保持させる、動作状態保持装置を具備することを特徴とする請求項１から５までのいずれか１項記載の情報処理装置。
【発明の詳細な説明】
【技術分野】
【０００１】
本発明は情報処理装置に関し、特に、情報記録再生装置に搭載可能なリムーバブル媒体をロード／イジェクトすることができるロード／イジェクト動作と、情報記録再生装置への電源供給とを制御することが可能な情報処理装置に関する。
【背景技術】
【０００２】
リムーバブル媒体としてのディスク型の情報記憶媒体（以下適宜、「ディスク」と略称する）の交換が可能な、例えばＣＤ−ＲＯＭドライブ等の情報記録再生装置は、パーソナルコンピュータ等の情報処理装置において、従来から一般的に使用されている。
【０００３】
情報記録再生装置における従来のディスクの交換方法には、大別して２種類がある。第１は機械式方法で、ユーザが機械的にフタあるいは引き出し式のトレイを操作することで引き出し／収納を行うか、またはディスクそれ自体あるいはディスクを収納した保護ケースの掃き出し／取り込みを行うことにより、イジェクトあるいはローディングを行って、ディスクの交換を行う方法である。第２は、スイッチ等の操作により、電子的にフタあるいは引き出し式のトレイによる引き出し／収納動作を行わせるか、またはディスクそれ自体あるいはディスクを収納した保護ケースの掃き出し／取り込みを行わせることにより、イジェクトあるいはローディングを行って、ディスクの交換を行う方法である。
【０００４】
現在では、ディスクの回転数の高速化に伴って、ディスク回転中のイジェクトによる事故が想定されるため、少なくとも高速ＣＤ−ＲＯＭドライブ等は、ディスクの回転が停止してからイジェクトする電子式イジェクトがほとんどである。しかしながら、電子式方法では、情報記憶装置への電源供給中はイジェクトあるいはローディング可能となるが、電源オフ中は、イジェクトおよびローディングができないという不都合がある。
【０００５】
特許文献１において提案されている情報処理装置は、記憶装置の電源オフ中にイジェクトボタンあるいはローディングボタンの押下を検出する押下検出装置と、押下検出装置によるボタンの押下検出信号により、電源供給回路をオンにして記憶装置へ電力を供給することでローディング機構を作動させる装置と、電源オフ状態での記憶装置におけるディスクの掃き出しあるいは取り込みの完了を検出してディスク位置検出信号を出力する掃き出し／取り込み完了検出装置とを設けており、ディスク位置検出信号を検出してから電源供給回路がオフされるため、記憶装置の電源オフ中におけるディスク交換を確実に行うことが可能になり、交換不要の間は、完全に電源を切ることができる。
【０００６】
しかしながら、特許文献１に記載のものは、低消費電力ではあるものの、１個のイジェクトスイッチを押下したことを検出して情報記憶装置をロード／イジェクトするのみである。実際のドライブでは、イジェクトスイッチによるロード／イジェクトの動作のみでなく、たとえばスロットローディング方式の情報記憶装置ではイジェクトスイッチでイジェクト動作を行い、媒体が情報記憶装置内に挿入されたことを検出するスイッチまたはセンサなどの状態変化によりロード動作を開始する。また、光ディスク記録再生装置のローディング方式として一般的なトレイ方式では、イジェクトスイッチによりロード／イジェクト動作を行う以外に、排出されたトレイを装置内部に押し込むことにより、装置内部に設置されたスイッチ装置の状態が変化し、その変化によりロード動作を行うなど、複数のスイッチ装置の論理の変化を検出してそれに対応した動作を行う必要がある。このため、特許文献１に記載のものでは、複数のスイッチの異なる論理に対応することが不可能である。
【０００７】
また特許文献１のものでは、装置の電源遮断中のディスクのロード／イジェクト完了を検出して再度電源供給回路をオフにするための検出装置が設けられているが、この回路の電源供給は情報処理装置全体の電源供給回路と共通であるため、スイッチが押下状態になってから解除されるまでの時間が短いと、検出装置の電源がオンになる前にスイッチの押下状態が解除される可能性があり、このため、情報処理装置本体のパワースイッチが押下されたのか、情報記憶装置のロード／イジェクトスイッチが押下されたのか判別することができなくなるという問題もある。
【０００８】
このような問題点を解決するため、特許文献２においては、メインの電源供給装置と、このメインの電源供給装置がオフであるときにもロード／イジェクトが可能なように、そのロード／イジェクト動作に必要な最低限度の部分に常時電源を供給する装置とを具備した情報処理装置が提案されている。
【特許文献１】特開平１１−１４９６８９号公報
【特許文献２】特開２００５−２２２６７９号公報
【発明の開示】
【発明が解決しようとする課題】
【０００９】
しかし、特許文献２に記載のものは、メインの電源供給装置のほかに常時電源供給装置を備えるものであるため、電源供給系と、上記の電源供給装置をコントロールするための制御系とが複雑になってしまう。
【００１０】
そこで本発明は、このような課題を解決して、メインの電源供給装置のほかに、このメインの電源供給装置がオフであるときにもロード／イジェクトが可能なように常時電源供給装置を備えた情報処理装置において、電源供給系と、上記の電源供給装置をコントロールするための制御系とを簡単に構成できるようにすることを目的とする。
【課題を解決するための手段】
【００１１】
この目的を達成するため本発明は、
リムーバブルメディアを挿入および排出するスロットローディング機構と、このスロットローディング機構にリムーバブルメディアが挿入されたことを検出可能なメディア検出装置とを有する情報記録再生装置と、
前記情報記録再生装置を制御してリムーバブルメディアからのデータ読み込み、あるいはリムーバブルメディアへのデータ書き込みを行う情報機器制御装置と、
前記情報記録再生装置および情報機器制御装置に電源を供給可能な電源供給装置と、
前記電源供給装置を制御する電源制御装置と、
前記電源制御装置に常時電源を供給する常時電源供給装置と、
前記常時電源供給装置によって常時電源が供給されるとともに、前記スロットローディング機構にリムーバブルメディアが挿入されたことを検出した信号をメディア検出装置から受け取ることによって、前記電源制御装置を介して電源供給装置から情報記録再生装置および情報機器制御装置に電源を供給させる信号伝達装置と、
を具備したものである。
【００１２】
したがって本発明によれば、情報記録再生装置には、電源供給装置からの電源供給ラインと、情報機器制御装置からの制御ラインと、メディア検出装置と信号伝達装置との間の信号ラインとのみを接続すれば足り、このため、情報記録再生装置を中心としたときの電源供給系や、この電源供給系を制御するための制御系との間の配線を簡単なものとすることができる。
【００１３】
本発明によれば、情報記録再生装置が、スロットローディング機構のための駆動回路と、前記スロットローディング機構にリムーバブルメディアが挿入されたことを検出した信号をメディア検出装置から受け取ることによって、電源供給装置から情報記録再生装置に供給される電源を前記駆動回路に供給させる電源供給制御回路と、を具備することが好適である。
【００１４】
このような構成であると、情報記録再生装置は、スロットローディング機構にリムーバブルメディアが挿入されたときに、はじめて、スロットローディング機構のための駆動回路に電源を供給可能とすることができる。
【００１５】
本発明によれば、メディア検出装置は、スロットローディング機構に対するリムーバブルメディアの挿入排出動作にしたがって開閉されるスイッチにて構成され、信号伝達装置は、常時電源供給装置から前記スイッチに常時電源を供給するものであるとともに、前記スロットローディング機構に対するリムーバブルメディアの挿入排出動作にしたがってスイッチが開閉されることにともなって、電源制御装置への入力レベルを変化させるものであることが好適である。
【００１６】
このような構成であると、メディア検出装置を簡単な構成として確実な動作を期待することができる。
本発明によれば、上記において、情報記録再生装置の電源供給制御回路は、スイッチに電気的に接続されるとともに、常時電源供給装置からスイッチに常時供給される電源からの電流が前記情報記録再生装置に流れ込むのを阻止するための電流流れ込み阻止装置を有することが好適である。
【００１７】
このような構成であると、スイッチは常時電源供給装置から電源の供給を常時受けた状態で動作するものであるのに対し、情報記録再生装置はスロットローディング機構にリムーバブルメディアが挿入されたことをメディア検出装置が検出したときにはじめて電源供給装置からの電源供給を受けるものであるにもかかわらず、情報記録再生装置に電源が供給されていないときに、この情報記録再生装置に常時電源供給装置からの電流が流れ込むことを確実に阻止できる。
【００１８】
本発明によれば、上記において、スイッチで発生するチャタリングにもとづくノイズを除去するためのローパスフィルタを具備することが好適である。
このようなものであると、スイッチで発生するチャタリングによる悪影響およびそれに基く誤動作の発生を防止することができる。
【００１９】
本発明によれば、メディア検出装置からの、スロットローディング機構にリムーバブルメディアが挿入されたことの検出信号により、電源制御装置を、電源供給装置から情報記録再生装置および情報機器制御装置に電源を供給させるように動作させた状態とするとともに、この動作状態を、その後にスロットローディング機構からリムーバブルメディアが排出された後も保持させる、動作状態保持装置を具備することが好適である。
【００２０】
このような構成であると、別のディスクへの入れ換えを、電源のオンオフを伴うことなしに行うことができる。
【発明の効果】
【００２１】
本発明によると、情報記録再生装置には、電源供給装置からの電源供給ラインと、情報機器制御装置からの制御ラインと、メディア検出装置と信号伝達装置との間の信号ラインとのみを接続すれば足り、このため、情報記録再生装置を中心としたときの電源供給系や、この電源供給系を制御するための制御系との間の配線を簡単なものとすることができる。
【発明を実施するための最良の形態】
【００２２】
図１は、本発明の実施の形態の情報処理装置の概略構成を示す。ここで１１は情報記録再生装置で、ディスク状のリムーバルメディア１０を挿入および排出可能なスロットローディング機構１２と、このスロットローディング機構１２にリムーバルメディア１０が挿入されたことを検出可能なメディア検出装置１３と、スロットローディング機構１２を駆動するための駆動回路１４と、駆動回路１４を制御するためのＣＰＵ１５と、ＣＰＵ１５への電源の供給を制御するための電源供給制御回路１６とを有する。
【００２３】
１７は情報機器制御装置で、情報記録再生装置１１によってリムーバブルメディア１０からのデータ読み込み、あるいはリムーバブルメディア１０へのデータ書き込みを行うために、この情報記録再生装置１１を制御するものである。１８は、情報記録再生装置１１および情報機器制御装置１７へ電源を供給するための電源供給装置、１９は、電源供給装置１８を制御する電源制御装置である。
【００２４】
情報記録再生装置１１のメディア検出装置１３の出力側には、情報記録再生装置１１の外部に設けられた信号伝達装置２０が接続され、この信号伝達装置２０の出力側に動作状態保持装置２１が接続され、この動作状態保持装置２１の出力側に電源制御装置１９が接続されている。
【００２５】
２２は常時電源供給装置で、電源供給装置１８のオンオフに関係なく、すなわち図示の情報処理装置全体の電源オンオフに関係なく、電源制御装置１９と動作状態保持装置２１と信号伝達装置２０とに、常時電源を供給するものである。
【００２６】
２３はスイッチ、２４は抵抗で、ユーザが図示の情報処理装置全体の電源をオンオフするために用いるものであって、常時電源供給装置２２を電源として電源制御装置１９にコントロール信号を供給するためのものである。
【００２７】
図２は、信号伝達装置２０と、メディア検出装置１３と、電源供給制御回路１６との詳細構造を示す。信号伝達装置２０は抵抗２６によって構成されており、この抵抗２６は、その一端が常時電源供給装置２２の出力側に接続されるとともに、その他端が動作状態保持装置２１の入力側に接続されている。メディア検出装置１３は常閉スイッチにて構成され、その一端が動作状態保持装置２１の入力側と電源供給制御装置１６とに接続されるとともに、その他端が接地されている。
【００２８】
電源供給制御装置１６は、電源供給装置１８に接続された電源供給部２７と、ＣＰＵ１５に接続された出力部２８と、メディア検出装置１３としてのスイッチに接続された信号入力部２９とを備えている。電源供給部２７と信号入力部２９との間には抵抗３１とダイオード３２とが直列に接続されており、ダイオード３２は、メディア検出装置１３から電源供給制御装置１６へ向けて電流が流れ込まない方向に接続されている。電源供給部２７には抵抗３３とエミッタ接地トランジスタ３４とが直列に接続されており、出力部２８はトランジスタ３４のコレクタに接続されている。トランジスタ３４のベースは、抵抗３５と、ベースに電流が流れ込む方向に配置されたダイオード３６とを介して、ダイオード３２のアノードに接続されている。ダイオード３６は、ダイオード３２による電圧降下を補償するために設けられたものである。
【００２９】
このような構成において、図示の情報処理装置が稼動していないときには、電源供給装置１８はオフであり、情報機器制御装置１７および情報記録再生装置１１も同様にオフである。ただし、このときであっても、常時電源供給装置２２はオンであり、電源制御装置１９と動作状体保持装置２１と信号伝達装置２０とには電源が供給されている。図２において、メディア検出装置１３を構成するスイッチは常閉であって接地されているため、常時電源供給装置２２から信号伝達装置２０の抵抗２６に電源が供給されても、動作状態保持装置２１の入力はＬレベルであり、したがって電源制御装置１９の入力もＬレベルであって、電源制御装置１９は電源供給装置を作動させず、電源供給装置１８はオフのままである。
【００３０】
スロットローディング機構１２にメディア１０が挿入されると、たとえばその動きに伴ってメディア検出装置１３のスイッチが開かれることで、その挿入が検出される。すると、メディア検出装置１３のスイッチが開かれることで、信号伝達装置２０の抵抗２６を介して動作状態保持装置２１の入力がＨレベルとなり、これによって電源制御装置１９の入力もＨとなって、電源供給装置１８がオンとなり、情報記録再生装置１１と情報機器制御装置１７とに電源が供給されて、情報記録再生装置１１が動作されることになる。
【００３１】
次に電源供給制御回路１６の動作について説明する。電源供給装置１８がオフのときには電源供給部２７に電源が供給されず、したがってＣＰＵ１５の入力信号も供給されていない。このとき、ダイオード３２はメディア検出装置１３の常閉スイッチを介して接地されており、ダイオード３２による電圧降下を補償するダイオード３６を経たトランジスタ３４のベースの電位もゼロであるため、このトランジスタ３４もオフである。
【００３２】
スロットローディング機構１２にメディア１０が挿入されてメディア検出装置１３のスイッチが開くと、信号入力部２９は常時電源供給装置２２から電源が供給されてＨレベルとなるが、ダイオード３２が設けられているため、常時電源供給装置２２からの電流が電源供給制御回路１６に流れ込んで誤動作することが防止される。
【００３３】
この状態で、上述のように電源供給装置１８がオンとなると、電源供給制御回路１６の電源供給部２７に電源が供給され、トランジスタ３４はダイオード３６を介してベースに電流が供給されるためにオンとなり、これに連動してＣＰＵ１５および駆動回路１４を介してスロットローディング機構１２を動作させることが可能となる。
【００３４】
いま、駆動回路１４の動作によってスロットローディング機構１２からメディア１０が排出されると、メディア検出装置１３はメディアを検出しなくなり、具体的にはスイッチが再び閉じた状態となって、動作状態保持装置２１の入力はＬレベルに戻る。しかし、動作状態保持装置２１は、フリップフロップなどの保持回路によって構成されることで、メディア検出装置１３の検出状態が変化してもその動作状態が変化せず、具体的には電源制御装置１９を介して電源供給装置１８をオンの状態に維持し続ける。このため、情報記録再生装置１１をオンオフさせずにメディア１０を出し入れすることが可能である。なお、スロットローディング機構１２からメディア１０が排出されると、トランジスタ３４はオフとなるため、ＣＰＵ１５により制御される駆動回路１４はオフになる。
【００３５】
その後に電源スイッチ２３を操作することによって、はじめて、電源制御装置１９を介して電源供給装置１８をオフ状態に変化させることができる。
なお、スイッチ２３を操作することにより、スロットローディング機構１２にメディア１０を挿入しなくても、電源供給装置１８をオンとして、同様に情報記録再生装置１１をオンとすることができる。これは、装置本来の起動動作である。
【００３６】
以上によれば、スロットローディング機構１２と、メディア検出装置１３と、電源供給制御回路１６と、ＣＰＵ１５と、駆動回路１４とを備えた情報記録再生装置１１には、電源供給装置１８からの電源供給ラインと、情報機器制御装置１７からの制御ラインと、メディア検出装置１３と信号伝達装置２０との間の信号ラインとのみを接続すれば足りる。このため、情報記録再生装置１１を中心としたときの電源供給系や、この電源供給系を制御するための制御系との間の配線を、簡単なものとすることができる。
【００３７】
上述のように、メディア検出装置１３はスイッチにて構成されている。このため、チャタリングの発生の可能性がある。このようなチャタリングの発生にもとづくノイズを除去して誤動作の発生を防止するために、図３および図４の回路では、メディア検出装置１３と信号伝達装置２０との間に、コンデンサ３８と抵抗３９とによって構成されるローパスフィルタ４０を備えている。
【００３８】
図５および図６は本発明の他の実施の形態の情報処理装置を示し、ここでは、図１および図２に示されるものと比べて、信号伝達装置２０および電源供給制御回路１６の構成が相違するとともに、これら信号伝達装置２０および電源供給制御回路１６とメディア検出装置１３との配線の状態が相違する。以下、これらの点について説明する。
【００３９】
電源供給制御回路１６は、図２に示すものと比べて抵抗３１とダイオード３２とダイオード３６とを有しない構成であるとともに、信号入力部２９に抵抗３５が直接接続され、かつ電源出力部４２を有して、電源入力部２７と電源出力部４２との間に、電源入力部２７から電源出力部４２へ電流を流す方向を順方向とするダイオード４３が接続されている。
【００４０】
信号伝達装置２０において、抵抗２６の一端すなわち常時電源供給装置２２への接続側にはダイオード４４のアノードが接続され、この抵抗２６の他端すなわち動作状態保持装置２１への接続側には、エミッタ接地されたトランジスタ４５のコレクタが接続されている。４６はトランジスタ４５のベース抵抗である。ダイオード４３のカソードとダイオード４４のカソードはともに抵抗４７の一端に接続され、抵抗４７の他端はトランジスタ３４、４５のベース抵抗３５、４６にそれぞれ接続されている。
【００４１】
スイッチにて構成されたメディア検出装置１３は、その一端が抵抗４７と抵抗３５、４６との接続部に接続されるとともに、その他端が接地されている。
このような構成において、図示の情報処理装置が稼動していないときには、電源供給装置１８はオフであり、情報機器制御装置１７および情報記録再生装置１１も同様にオフである。ただし、このときであっても、常時電源供給装置２２はオンであり、電源制御装置１９と動作状体保持装置２１と信号伝達装置２０とには電源が供給されている。図６において、メディア検出装置１３を構成するスイッチは常閉であって接地されているため、常時電源供給装置２２から信号伝達装置２０の抵抗２６と抵抗４７に電源が供給されても、トランジスタ４５はオフである。このため、動作状態保持装置２１の入力はＨレベルであり、したがって電源制御装置１９は電源供給装置１８を作動させず、電源供給装置１８はオフのままである。このため、電源供給制御回路１６もオフである。このとき、電源供給制御回路１６にはダイオード４３が設けられているため、この電源供給制御回路１６に常時電源供給装置２２からの電流が流れ込んで誤動作の原因となることが防止されている。
【００４２】
スロットローディング機構１２にメディア１０が挿入されると、その動きに伴ってメディア検出装置１３のスイッチが開かれる。すると、トランジスタ４５がオンとなって動作状態保持装置２１の入力レベルが変化し、これによって電源制御装置１９を介して電源供給装置１８がオンとなり、情報記録再生装置１１と情報機器制御装置１７とに電源が供給されて、情報記録再生装置１１が動作されることになる。
【００４３】
次に電源供給制御回路１６の動作について説明する。電源供給装置１８がオフのときには電源供給部２７に電源が供給されず、したがってＣＰＵ１５の入力信号も供給されていない。このとき、上述のようにメディア検出装置１３のスイッチが閉じているためトランジスタ３４のベースの電位もゼロであり、このトランジスタ３４もオフである。
【００４４】
スロットローディング機構１２にメディア１０が挿入されてメディア検出装置１３のスイッチが開くと、上述のように電源供給装置１８がオンとなって、電源供給制御回路１６に電源が供給される。すると同時にトランジスタ３４がオンとなって、ＣＰＵ１５および駆動回路１４を介してスロットローディング機構１２を動作させることが可能となる。このとき、信号伝達装置２０にはダイオード４４が設けられているため、電源供給装置１８からの電流が信号伝達装置２０に流れ込んで誤動作の原因となることが防止される。
【００４５】
このように、図５および図６に示す装置においては、メディア検出装置１３を備えた情報記録再生装置１１と信号伝達装置２０との間に２本のラインを設置するだけでよく、先の場合と同様に簡単な配線構造で装置を構成することができる。
【００４６】
図７は、本発明にもとづく情報処理装置であるが動作状態保持装置２１を備えないものの構成を示す。この装置の場合は、メディア検出装置１３のオンオフ状態に合わせて電源供給装置１８のオンオフ状態も変化することになる。
【産業上の利用可能性】
【００４７】
本発明の情報処理装置は、情報記録再生装置に、電源供給装置からの電源供給ラインと、情報機器制御装置からの制御ラインと、メディア検出装置と信号伝達装置との間の信号ラインとのみを接続すれば足り、これによって、情報記録再生装置を中心としたときの電源供給系や、この電源供給系を制御するための制御系との間の配線を簡単なものとすることができるというものであり、このため、情報記録再生装置に搭載可能なリムーバブル媒体をロード／イジェクトすることができるロード／イジェクト動作と、情報記録再生装置への電源供給とを制御することが可能な情報処理装置として有用である。
【図面の簡単な説明】
【００４８】
【図１】本発明の実施の形態の情報処理装置の構成を示す図
【図２】図１における要部の詳細な構成を示す図
【図３】図２に示す部分の変形例を示す図
【図４】図２に示す部分の他の変形例を示す図
【図５】本発明の他の実施の形態の情報処理装置の構成を示す図
【図６】図５における要部の詳細な構成を示す図
【図７】本発明のさらに他の実施の形態の情報処理装置の構成を示す図
【符号の説明】
【００４９】
１０    リムーバブルメディア
１１    情報記録再生装置
１２    スロットローディング機構
１３    メディア検出装置
１７    情報機器制御装置
１８    電源供給装置
２０    信号伝達装置
２２    常時電源供給装置
【図１】
2007157292.tif 000003
【図２】
2007157292.tif 000004
【図３】
2007157292.tif 000005
【図４】
2007157292.tif 000006
【図５】
2007157292.tif 000007
【図６】
2007157292.tif 000008
【図７】
2007157292.tif 000009